(57)【要約】【課題】手首の部位に相当する筒部に施した刺繍に対して、外観を損なうことなく、手首の動きを円滑にするように刺繍を細工した小手を提供する。【解決手段】小手は、挿入された手の指部分と掌を保護する小手頭と手の内からなるころも部と、前記小手頭に連設して縫着され、手の甲の部分を保護する下部側を開放とした筒部と、前記筒部に連設して縫着され、手首から前腕部分を保護するための下部側を開放とし該開放した部位を小手紐で結ぶようにした小手筒と、からなり、前記筒部に縫着するための小手筒は、その縫い合わせ目の端部を中央部分が最深となる凹曲面形状に形成し、この凹曲面形状の端部に前記筒部の端部を付き合わせて縫着することで、前記筒部全体が前記小手筒に対して上方向に向いた状態の筒形状に形成すると共に、前記筒部に施すための飾り部は、長手方向に沿って、所定の大きさに施された刺繍の数を少なくとも８個以下にして、並列に施したことである。【選択図】図１
2008148985.tif 000002
【特許請求の範囲】
【請求項１】
挿入された手の指部分と掌を保護する小手頭と手の内からなるころも部と、
前記小手頭に連設して縫着され、手の甲の部分を保護する下部側を開放とした筒部と、
前記筒部に連設して縫着され、手首から前腕部分を保護するための下部側を開放とし該開放した部位を小手紐で結ぶようにした小手筒と、
からなり、
前記筒部に施すための飾り部は、長手方向に沿って、所定の大きさに施された刺繍の数を少なくとも８個以下にして、並列に施したことを特徴とする小手。
【請求項２】
挿入された手の指部分と掌を保護する小手頭と手の内からなるころも部と、
前記小手頭に連設して縫着され、手の甲の部分を保護する下部側を開放とした筒部と、
前記筒部に連設して縫着され、手首から前腕部分を保護するための下部側を開放とし該開放した部位を小手紐で結ぶようにした小手筒と、
からなり、
前記筒部に縫着するための小手筒は、その縫い合わせ目の端部を中央部分が最深となる凹曲面形状に形成し、この凹曲面形状の端部に前記筒部の端部を付き合わせて縫着することで、前記筒部全体が前記小手筒に対して上方向に向いた状態の筒形状に形成すると共に、前記筒部に施すための飾り部は、長手方向に沿って、所定の大きさに施された刺繍の数を少なくとも８個以下にして、並列に施したことを特徴とする小手。
【請求項３】
前記筒部の開口部分を除く胴周りの長さが２０ｃｍ前後であるのに対して、刺繍の長さが３ｃｍ前後、幅が５ｍｍ前後の刺繍を８個並列に施したことである請求項１乃至２に記載の小手。
【発明の詳細な説明】
【技術分野】
【０００１】
本発明は、小手に関し、詳しくは、剣道用の小手であって、手首の部分の筒部に施してある刺繍に細工を加えて、筒部の部位が柔軟に動けるようにして手首を動き易くした小手に関する。
【背景技術】
【０００２】
従来技術における小手は、図５及び図６に示すように、手の４指が収納されると共に親指が分かれて収納される手袋状に形成され、手の指部分と掌を保護するころも部１１と、このころも部１１と縫着され、一定の肉厚帯状に形成されたけら１２と、このけら１２に連設され手首の周囲を覆う筒部１３と、この筒部１３に連設され前腕を覆う小手筒１４とから構成されている。
ころも部１１は、手が挿入される小手頭１５と手の内１６とからなり、小手頭１５はその表面が牛革又は鹿革で覆われていると共に、内部には鹿毛、羊毛などの獣毛、又はフェルトなどの緩衝材が充填されている。手の内１６は、牛革又は鹿革が張設されて形成されている。
【０００３】
筒部１３は、けら１２の後端部に一体的に縫着されており、手首の周囲或は手の甲部分を保護する適宜長さを有し、下部側を開放とし、その内部には緩衝材が充填されて肉厚に形成されている。また、この筒部１３には、長さ方向に水平に所定間隔を持って飾り部２１を施した構成になっている。
飾り部２１は、筒部周囲に均等に１０個の飾りが刺繍されており、２本で刺繍する縄飾り、糸が３本の３つ飾り、糸が４本の４つ飾り、の何れかで刺繍されている。
具体的には、この筒部の開口部分を除く胴周りの長さＤが２０ｃｍ前後であるのに対して、刺繍の長さＬが３ｃｍ前後、幅Ｗが５ｍｍ前後の刺繍を１０個並列に施してある。
このように形成された飾り部２１は、装飾を兼ねて手首が収まる位置の筒部１３への打突等の外部からの衝撃に耐え、且つ手首の動きを抑制する機能を兼ね備えている。
小手筒１４は、筒部１３の後端部に一体的に縫着されており、前腕を覆う適宜長さを有し、下部側を開放としこの開放した部位を小手紐１７で結ぶようにした構成になっており、その内部にには毛布、綿、又はグラスファイバーなどの緩衝材が収納されて肉厚に形成され、外側を木綿で包んで刺し子が施されている。
【０００４】
【特許文献１】特開平１１−２０６９５０号公報（第２頁乃至第３頁、第１図）
【発明の開示】
【発明が解決しようとする課題】
【０００５】
しかしながら、上記背景技術の項で説明した従来技術の小手は、前腕の部分を覆う小手筒と手の部分を覆うころも部とが同一方向性を持って手首の部分に相当する筒部で連結されている。そして、この筒部には、刺繍が施した飾り部を設けた構成になっており、この飾り部が、長手方向に平行で所定間隔を持って１０個の刺繍が施されており、この刺繍が、以外と手首に位置する筒部の動きを制約することで、手首の動きが円滑に行われないという問題がある。
従って、手首の部位に相当する筒部に施した刺繍に対して、外観を損なうことなく、手首の動きを円滑にするように刺繍を細工することに解決しなければならない課題を有する。
【課題を解決するための手段】
【０００６】
上記課題を解決するために、本発明に係る小手は、次に示す構成にすることである。
【０００７】
（１）小手は、挿入された手の指部分と掌を保護する小手頭と手の内からなるころも部と、前記小手頭に連設して縫着され、手の甲の部分を保護する下部側を開放とした筒部と、前記筒部に連設して縫着され、手首から前腕部分を保護するための下部側を開放とし該開放した部位を小手紐で結ぶようにした小手筒と、からなり、前記筒部に施すための飾り部は、長手方向に沿って、所定の大きさに施された刺繍の数を少なくとも８個以下にして、並列に施したことである。
（２）小手は、挿入された手の指部分と掌を保護する小手頭と手の内からなるころも部と、前記小手頭に連設して縫着され、手の甲の部分を保護する下部側を開放とした筒部と、前記筒部に連設して縫着され、手首から前腕部分を保護するための下部側を開放とし該開放した部位を小手紐で結ぶようにした小手筒と、からなり、前記筒部に縫着するための小手筒は、その縫い合わせ目の端部を中央部分が最深となる凹曲面形状に形成し、この凹曲面形状の端部に前記筒部の端部を付き合わせて縫着することで、前記筒部全体が前記小手筒に対して上方向に向いた状態の筒形状に形成すると共に、前記筒部に施すための飾り部は、長手方向に沿って、所定の大きさに施された刺繍の数を少なくとも８個以下にして、並列に施したことである。
（３）前記筒部の開口部分を除く胴周りの長さが２０ｃｍ前後であるのに対して、刺繍の長さが３ｃｍ前後、幅が５ｍｍ前後の刺繍を８個並列に施したことである（１）乃至（２）に記載の小手。
【発明の効果】
【０００８】
本発明の小手は、手首の部分に相当する筒部に施されている飾り部に対して、その刺繍の数を従来の１０個の刺繍から、その数を減少させて少なくとも８個にすることで、手首の返しが円滑になり、極めて使用勝手がよくなる。
【発明を実施するための最良の形態】
【０００９】
次に、本発明に係る小手の実施例について図面を参照して以下説明する。尚、従来技術と同じものには同一符号を付与して説明する。
【実施例１】
【００１０】
本発明の小手は、図１及び図２に示すように、従来技術で説明した小手と構成は大略同じであり、その中で手首から手の部分における特徴的な形状を加味して、手の甲部分が外側方向に屈曲した形状に合わせて手の甲部分を保護する筒部を手首から前腕部を保護する小手筒に対して上方向に向けた状態で縫合して形成した点に加えて、手首に位置する筒部に施されている飾り部に対して、その刺繍の数を減らすことで手首の返りを円滑にしたことに特徴がある。
【００１１】
小手は、図１及び図２に示すように、手の４指が収納されると共に親指が分かれて収納される手袋状に形成され、手の指部分と掌を保護するころも部１１と、このころも部１１と縫着され、一定の肉厚帯状に形成されたけら１２と、このけら１２に連設され手首の周囲を覆う筒部１３と、この筒部１３に連設され前腕を覆う小手筒１４とから構成されている。
ころも部１１は、手が挿入される小手頭１５と手の内１６とからなり、小手頭１５はその表面が牛革又は鹿革で覆われていると共に、内部には鹿毛、羊毛などの獣毛、又はフェルトなどの緩衝材が充填されている。手の内１６は、牛革又は鹿革が張設されて形成されている。
【００１２】
筒部１３は、けら１２の後端部に一体的に縫着されており、手首の周囲或は手の甲部分を保護する適宜長さを有し、下部側を開放とし、その内部には緩衝材が充填されて肉厚に形成されている。
この筒部１３には、長さ方向に水平に所定間隔を持って飾り部２１Ａを施した構成になっている。
飾り部２１Ａは、筒部１３周囲に並列に少なくとも８個の飾りが刺繍されており、２本で刺繍する縄飾り、糸が３本の３つ飾り、糸が４本の４つ飾り、の何れかで刺繍されている。
実施例においては平行に８個の飾りが刺繍されているが、平行でなくとも例えば、ハの字形状、逆ハの字形状、Ｖの字形状であってもよい。
具体的には、図４に示すように、この筒部１３の開口部分を除く胴周りの長さＤが２０ｃｍ前後であるのに対して、刺繍の長さＬが３ｃｍ前後（図１参照）、幅Ｗが５ｍｍ前後の刺繍を８個並列に施してある。
このように形成された飾り部２１は、装飾を兼ねて手首が収まる位置の筒部１３への打突等の外部からの衝撃に耐え、且つ手首の動きを抑制する機能を兼ね備えている。
【００１３】
小手筒１４は、筒部１３の後端部に一体的に縫着されており、前腕を覆う適宜長さを有し、下部側を開放としこの開放した部位を小手紐１７で結ぶようにした構成になっており、その内部にには毛布、綿、又はグラスファイバーなどの緩衝材が収納されて肉厚に形成され、外側を木綿で包んで刺し子が施されている。
さて、小手筒１４に筒部１３を縫着するわけであるが、図１及び図３に示すように、縫着する小手筒１４の縫い合わせ目の端部を中央部分が最深となる凹曲面形状１８に形成し、この凹曲面形状１８の端部に筒部１３の端部を付き合わせて縫着することで、凹曲面形状１８の端部に筒部１３の端部が引き付けられるようにして縫合されるため、その分筒部１３の最深凹曲面の端部が最大限上方向に引っ張られた状態で縫合される。従って、筒部１３全体が小手筒１４に対して上方向に向いた状態、即ち、小手筒１４が直線Ｘ−Ｘ'方向であるのに対して筒部１３が上方向を向いた直線Ｙ−Ｙ'方向の筒形状である。
【００１４】
この凹曲面形状にするのは、小手筒側の端部に限定されることなく、付き合わせる端部であれば筒部側の端部を凹曲面形状に形成してもよい。
更に、凹曲面形状にする端部は、小手筒１４或は筒部１３の端部に限定されることなく、両者の端部夫々を凹曲面形状に形成し、その凹曲面形状にした端部同士を付き合わせるようにしてもよい。
【００１５】
このようにして形成された小手は、手の甲或は手首の部分を保護する部位の筒部１３が小手筒１４よりも上方向を向いた状態になっているために、小手筒１４から手を挿入したときに、先ず指が筒部１３に到着したときにそのまま手を押し込んでも、手の甲がその上方向を向いている筒部１３に添って移動するために、極めて円滑に右手或は左手を装着することができるのである。
そして、右手或いは左手を装着したときに手首の部位の筒部１３には飾り部２１Ａの刺繍を少なくしてあるために、筒部１３自体が柔軟性に富むようになり、手首の返しが円滑になる。
【産業上の利用可能性】
【００１６】
手首の部分に相当する筒部に施されている飾り部に対して、その刺繍の数を従来の１０個の刺繍から、その数を減少させて少なくとも８個にすることで、手首の返しが円滑になり、極めて使用勝手が良い小手を提供する。
【図面の簡単な説明】
【００１７】
【図１】本願発明に係る小手のうち、右手用の小手を示した説明図である。
【図２】同、小手の上部からみた小手の説明図である。
【図３】同、凹曲面形状に形成した端部を有する小手筒と筒部との関係を示した説明図である。
【図４】同、図２におけるＡ―Ａ´線断面図である。
【図５】従来技術に係る小手のうち、右手用の小手を示した説明図である。
【図６】同、小手の上部からみた小手の説明図である。
【符号の説明】
【００１８】
１１      ころも部
１２      けら
１３      筒部
１４      小手筒
１５      小手頭
１６      手の内
１７      小手紐
１８      凹曲面形状
２１Ａ    飾り部。
【図１】
2008148985.tif 000003
【図２】
2008148985.tif 000004
【図３】
2008148985.tif 000005
【図４】
2008148985.tif 000006
【図５】
2008148985.tif 000007
【図６】
2008148985.tif 000008